(57)【要約】      （修正有）【課題】コアワイヤと先端チップとの接合部分の破損を抑制可能なカテーテルを提供する。【解決手段】カテーテルは、第１中空シャフトと、基端が第１中空シャフトの先端部に接合され、径方向に拡張または収縮するように構成されたチューブ状のメッシュ部材２０と、基端が第１中空シャフトの基端よりも基端側に位置し、第１中空シャフトおよびメッシュ部材の内側を先端側へ延びるコアワイヤ５０と、基端がメッシュ部材の先端と基端の間に位置し、メッシュ部材の内側を先端側へ延びる第２中空シャフト４０と、メッシュ部材の先端部２３と、コアワイヤの先端部５１と、第２中空シャフトとを接合させる接合部を有する先端チップ３０とを備える。【選択図】図３
2020199115.tif 000002
【特許請求の範囲】
【請求項１】
第１中空シャフトと、
基端が前記第１中空シャフトの先端部に接合され、径方向に拡張または収縮するように構成されたチューブ状のメッシュ部材と、
基端が前記第１中空シャフトの基端よりも基端側に位置し、前記第１中空シャフトおよび前記メッシュ部材の内側を先端側へ延びるコアワイヤと、
基端が前記メッシュ部材の先端と基端の間に位置し、前記メッシュ部材の内側を先端側へ延びる第２中空シャフトと、
前記メッシュ部材の先端部と、前記コアワイヤの先端部と、前記第２中空シャフトとを接合させる接合部を有する先端チップと、を備えるカテーテル。
【請求項２】
前記接合部において、径方向内側から外側に向かって、前記第２中空シャフトの先端部、コアワイヤの先端部、前記メッシュ部材の先端部の順に重ねて配置されている、請求項１に記載のカテーテル。
【請求項３】
前記コアワイヤの先端部には、前記第２中空シャフトの一部が入り込む凹部または貫通孔が形成されている、請求項１または請求項２に記載のカテーテル。
【請求項４】
前記第２中空シャフトの長軸方向において、前記メッシュ部材の先端の位置と前記コアワイヤの先端の位置とが互いにずれている、請求項１から請求項３のいずれか一項に記載のカテーテル。
【発明の詳細な説明】
【技術分野】
【０００１】
本開示は、カテーテルに関する。
【背景技術】
【０００２】
慢性完全閉塞（ＣＴＯ：Ｃｈｏｒｏｎｉｃ  ｔｏｔａｌ  ｏｃｃｌｕｓｉｏｎ）のような血管を閉塞する閉塞物を除去して血流を改善する医療器具として、例えば、血管内の閉塞物が存する部位において、上記閉塞部を除去するためにメッシュ状のワイヤを径方向に拡張するものがある（例えば、特許文献１参照）。また、手元の操作ワイヤを利用することで、先端部を術者の意に応じて操作する医療器具がある（例えば、特許文献２参照）
【０００３】
特許文献２の医療器具では、操作ワイヤの先端が後端チップに接合され、ている。
【先行技術文献】
【特許文献】
【０００４】
【特許文献１】特表２０１５−５０５２５０号公報
【特許文献２】特開２０１８−１０２５０９号公報
【発明の概要】
【発明が解決しようとする課題】
【０００５】
特許文献２の医療器具のような、操作ワイヤを術者が引いて先端部を操作する医療器具において、操作する際に、その引張力が操作ワイヤと、操作ワイヤと先端部において接合される部材（特許文献１においては後端チップ）との接合部分のみに集中し、当該接合部分が破損する可能性がある。
【０００６】
本開示の目的は、操作ワイヤ（本開示におけるコアワイヤ）と前記操作ワイヤと接合する部材（本開示における先端チップ）との接合部分の破損を抑制可能なカテーテルカテーテルを提供することにある。
【課題を解決するための手段】
【０００７】
かかる目的を達成するために、本開示の一形態に係るカテーテルは、第１中空シャフトと、基端が前記第１中空シャフトの先端部に接合され、径方向に拡張または収縮するように構成されたチューブ状のメッシュ部材と、基端が前記第１中空シャフトの基端よりも基端側に位置し、前記第１中空シャフトおよび前記メッシュ部材の内側を先端側へ延びるコアワイヤと、基端が前記メッシュ部材の先端と基端の間に位置し、前記メッシュ部材の内側を先端側へ延びる第２中空シャフトと、前記メッシュ部材の先端部と、前記コアワイヤの先端部と、前記第２中空シャフトとを接合させる接合部を有する先端チップと、を備える。
【０００８】
前記接合部において、径方向内側から外側に向かって、前記第２中空シャフトの先端部、コアワイヤの先端部、前記メッシュ部材の先端部の順に重ねて配置されていてもよい。
【０００９】
前記コアワイヤの先端部には、前記第２中空シャフトの一部が入り込む凹部または貫通孔が形成されていてもよい。
【００１０】
前記第２中空シャフトの長軸方向において、前記メッシュ部材の先端の位置と前記コアワイヤの先端の位置とが互いにずれていてもよい。
【発明の効果】
【００１１】
本開示は、コアワイヤと先端チップとの接合部分の破損を抑制可能なカテーテルを提供することができる。
【図面の簡単な説明】
【００１２】
【図１】本開示の実施形態に係るカテーテルの概略断面図であり、メッシュ部材が収縮した状態を示す図である。
【図２】カテーテルの概略断面図であり、メッシュ部材が拡張した状態を示す図である。
【図３】（ａ）は、メッシュ部材、先端チップ、第２中空シャフト、およびコアワイヤの接合状態を示す概略断面図であり、（ｂ）は、（ａ）のｂ−ｂ線に沿った断面図である。
【図４】コアワイヤの変形例を示す図である。
【発明を実施するための形態】
【００１３】
本開示の実施形態に係るカテーテルについて図面を参照して説明する。本開示は、当該図面に記載の実施形態にのみ限定されるものではない。
【００１４】
なお、本明細書において、「順行性ガイドワイヤ」とは、ガイドワイヤのうち、カテーテルに先立って血管中の閉塞部位などの術部に押し進められるガイドワイヤを意味し、「逆行性ガイドワイヤ」とは、ガイドワイヤのうち、例えば血管内をカテーテルの先端側から向かって来るガイドワイヤを意味する。
【００１５】
また、本明細書において、「先端側」とは、カテーテルの長手方向に沿った方向であってメッシュ部材に対する先端チップが位置する方向を指す。「基端側」とは、上記長手方向に沿った方向であって上記先端側とは反対の方向を指す。「先端」とは、カテーテルを構成する各部材における上記先端側の端部を指す。「基端」とは、カテーテルを構成する各部材における上記基端側の端部を指す。
【００１６】
図１は、本開示の実施形態に係るカテーテル１の概略断面図であり、メッシュ部材２０が収縮した状態を示す図である。
図１において、図示左側が体内に挿入される先端側（遠位側）、右側が医師等の手技者によって操作される基端側（手元側、近位側）である。
図２は、カテーテル１の概略断面図であり、メッシュ部材２０が拡張した状態を示す図である。
【００１７】
図１、２に示すように、カテーテル１は、第１中空シャフト１０と、メッシュ部材２０と、先端チップ３０と、第２中空シャフト４０と、コアワイヤ５０と、マーカ６０と、コネクタ７０とを備える。
【００１８】
第１中空シャフト１０は、先端側シャフト１１と、基端側シャフト１２とを有している。先端側シャフト１１の先端は、メッシュ部材２０の基端に接続されている。基端側シャフト１２の先端は、先端側シャフト１１の基端に接続されている。基端側シャフト１２の基端には、コネクタ７０が接続されている。
【００１９】
先端側シャフト１１は、内部に順行性ガイドワイヤ（不図示）、逆行性ガイドワイヤＷ２（図２）およびコアワイヤ５０を挿通させるためのルーメン１３を有している。基端側シャフト１２は、内部にコアワイヤ５０を挿通させるためのルーメン１４を有している。先端側シャフト１１と基端側シャフト１２との接続部において、先端側シャフト１１と基端側シャフト１２とにより、基端側に向かって開口するガイドワイヤポート１５が形成されている。ガイドワイヤポート１５を介して逆行性ガイドワイヤＷ２がカテーテル１の外部に送出される。
【００２０】
第１中空シャフト１０を構成する材料としては、第１中空シャフト１０が血管内に挿通されることから、抗血栓性、可撓性および生体適合性を有していることが好ましく、樹脂材料又は金属材料が挙げられる。先端側シャフト１１は柔軟性が求められるため、樹脂材料が好ましい。例えば、ポリアミド樹脂、ポリオレフィン樹脂、ポリエステル樹脂、ポリウレタン樹脂、シリコーン樹脂、フッ素樹脂等を採用することができる。基端側シャフト１２としては押し込み性が求められるため、金属材料が好ましい。例えば、ＳＵＳ３０４などのステンレス鋼、ニッケルチタン合金、コバルトクロム合金等を採用することができる。
【００２１】
メッシュ部材２０は、径方向に拡張または収縮可能なチューブ状の部材である。このメッシュ部材２０は、後述するコアワイヤ５０を基端側に向かって引っ張る際、図２に示すように、面外変形して径方向外側へ膨出することで拡径し、この拡径したメッシュ部材２０の目開きを介して逆行性ガイドワイヤＷ２をカテーテル１に受け入れる。  
【００２２】
本実施形態では、メッシュ部材２０は、複数の素線２１が格子状に編まれて全体としてチューブ状になるように形成されている。また、メッシュ部材２０は、編まれた隣り合う素線間に目開きを有しており、拡径したときの拡大した目開きを通して逆行性ガイドワイヤＷ２を受け入れる。なお、メッシュ部材２０を構成する各素線２１の先端および基端には、それぞれ先端チップ３０および第１中空シャフト１０が接合されている。
【００２３】
ここで、メッシュ部材２０を構成する各素線２１は、単一の線および複数の線のいずれをも採用することができ、例えば線径などが異なる複数の金属線が撚り合わされた撚線から形成されていてもよい。
【００２４】
メッシュ部材２０の各素線２１を構成する材料としては金属材料又は樹脂材料を採用することができる。樹脂材料としては、ポリアミド、ポリエステル、ポリアリレート、及びポリエーテルエーテルケトン等があげられる。尚強度および可撓性を向上させる観点からは、金属材料であることが好ましい。当該金属材料としては、例えば、ＳＵＳ３０４などのステンレス鋼、ニッケルチタン合金、コバルトクロム合金等が挙げられる。なお、各素線２１は、同一の材料で形成されていてもよく、異なる材料で形成されていてもよい。
【００２５】
また、メッシュ部材２０の各素線２１を構成する材料としては、メッシュ部材２０の視認性を向上させる観点から、放射線不透過性材料であってもよい。当該放射線不透過材料としては、例えば、金、白金、タングステン、またはこれらの元素を含む合金（例えば、白金−ニッケル合金など）等が挙げられる。なお、放射線不透過性材料は、放射線不透過性ではない材料の表面にコートされるものなど、当該放射線不透過性材料とこの材料以外の材料とを組み合わせたものであってもよい。
【００２６】
メッシュ部材２０には、誘導膜２２が設けられ、誘導膜２２の先端は先端チップ３０の基端と第１中空シャフト１０の先端との間に位置している。誘導膜２２は、メッシュ部材２０の目開きを通して受け入れた逆行性ガイドワイヤＷ２（図２）を第１中空シャフト１０に向かって円滑に導くものである。誘導膜２２は、先端がメッシュ部材２０の長軸方向略中央部に位置し、基端が第１中空シャフト１０の先端に位置している。誘導膜２２は、隣り合う素線どうしを架橋するようにメッシュ部材２０上に形成されている。ここで、逆行性ガイドワイヤＷ２は、図２に示すように、メッシュ部材２０が拡径する際に誘導膜２２が漏斗形状に展開することで、メッシュ部材２０を通して第１中空シャフト１０内に導かれる。なお、誘導膜２２は、少なくとも一部（例えば、誘導膜２２の先端外周など）がメッシュ部材２０に接合されていればよく、例えば、フィルム状のもの（不図示）であってもよい。
【００２７】
誘導膜２２を構成する材料としては、例えば、ポリエチレン、ポリウレタン、ポリアミド、ポリアミドエラストマー、ポリオレフィン、ポリエステル、ポリエステルエラストマー等が挙げられる。これらの中では、上記材料としては、表面の滑動性を向上させる観点から、ポリウレタンであることが好ましい。また、誘導膜２２を形成する方法としては特に限定されず、例えば、メッシュ部材２０に配置する誘導膜ではディップ法、フィルム状の誘導膜ではフィルムの先端をメッシュ部材２０に融着する方法等を採用することができる。
【００２８】
先端チップ３０は、略円柱状をなし、メッシュ部材２０の先端側に設けられている。先端チップ３０は、具体的には、カテーテル１が血管中を進行し易いように、先端側に向かって尖鋭状に形成されている。
【００２９】
先端チップ３０を構成する材料としては、カテーテル１が血管中を進行することから、柔軟性を有していることが好ましい。当該柔軟性と有する材料としては、例えば、ナイロン（ポリアミド）、ポリウレタン、ポリウレタンエラストマーなどの樹脂材料等が挙げられる。
【００３０】
第２中空シャフト４０は、基端がメッシュ部材２０の先端と基端の間に位置し、メッシュ部材２０の内側を先端側へ延びている。第２中空シャフト４０の外径は、先端チップ３０の内径よりも僅かに小さく構成されている。第２中空シャフト４０の先端部４１は、先端チップ３０に挿入されている。第２中空シャフト４０は、その基端が、図２に示すように、メッシュ部材２０が径方向外側に拡径した状態において、メッシュ部材２０の内側の空間における第１中空シャフト１０の先端と先端チップ３０の基端との間に位置するように構成されている。これは、逆行性ガイドワイヤＷ２を第１中空シャフト１０に受け入れ易くするためである。
【００３１】
第２中空シャフト４０を構成する材料としては、上述した第１中空シャフト１０と同様にこの第２中空シャフト４０も血管内に挿通されることから、抗血栓性、可撓性および生体適合性を有していることが好ましい。当該材料としては、例えば、第１中空シャフト１０の説明中で例示した材料と同様のもの等が挙げられるが、柔軟性の観点から樹脂材料が好ましい。
【００３２】
コアワイヤ５０は、先端が先端チップ３０に接続され、基端が第１中空シャフト１０の基端側に位置するコネクタ７０の外部まで延びている。よって、コアワイヤ５０は、メッシュ部材２０および第１中空シャフト１０のルーメン１３、１４およびコネクタ７０の通孔７１を貫通している。なお、術者がコアワイヤ５０をコネクタ７０の外部にて操作することで、当該コアワイヤ５０が長軸方向に進退し、メッシュ部材２０が径方向に拡縮する。
【００３３】
マーカ６０は、横断面視の形状が略環状または略Ｃ形状であり、第２中空シャフト４０およびコアワイヤ５０を覆っている。マーカ６０により、第２中空シャフト４０の基端がコアワイヤ５０から離間せずに、これらを一体となって動かすことができる。
【００３４】
マーカ６０は、ポリアミド樹脂、ポリオレフィン樹脂、ポリエステル樹脂、ポリウレタン樹脂、シリコーン樹脂、フッ素樹脂等の樹脂材料又はＳＵＳ３０４などのステンレス鋼、ニッケルチタン合金、コバルトクロム合金などの金属材料で形成される。樹脂で形成する場合には当該樹脂に三酸化ビスマス、タングステン、硫酸バリウム等の放射線不透過材料を混ぜることが好ましく、金属材料で形成する場合には白金、タングステン等の放射線不透過材料で形成することがこのましい。図２に示すように、マーカ６０は、メッシュ部材２０の拡張時に誘導膜２２の先端付近に位置することが好ましい。
【００３５】
コネクタ７０は、術者がカテーテル１を把持する部材である。コネクタ７０は、図１に示すように、第１中空シャフト１０の基端に接続されており、コアワイヤ５０を外部に露出できるように、第１中空シャフト１のルーメン１３、１４と連通する通孔７１と、この通孔７１の基端に形成された開口部７２とを有している。なお、コネクタ７０の形態は特に限定されず、オペレータが把持し易ければいずれの形状であってもよい。
【００３６】
次に、メッシュ部材２０、先端チップ３０、第２中空シャフト４０、およびコアワイヤ５０の接合状態について図３を参照して説明する。
【００３７】
図３（ａ）は、メッシュ部材２０、先端チップ３０、第２中空シャフト４０、およびコアワイヤ５０の接合状態を示す概略断面図であり、（ｂ）は、（ａ）のｂ−ｂ線に沿った断面図である。
【００３８】
図３（ａ）、（ｂ）に示すように、先端チップ３０は、基部３１と、第１接合部３２と、第２接合部３３とを有する。基部３１、第１接合部３２、および第２接合部３３は、全て同じ樹脂材料により構成されていてもよいし、異なる樹脂材料により構成されていてもよい。例えば、基部３１、第１接合部３２、および第２接合部３３をウレタンにより構成してもよいし、基部３１をウレタンにより、第１接合部３２および第２接合部３３をナイロンにより構成してもよい。基部３１、第１接合部３２、および第２接合部３３において、互いに接触する部分は溶着されている。よって、基部３１、第１接合部３２、および第２接合部３３は一体化されている。
【００３９】
基部３１は、基端部３１Ａおよび先端部３１Ｂを有し、先端チップ３０の先端部および中間部を構成している。第１接合部３２は、基端部３２Ａおよび先端部３２Ｂを有する。第１接合部３２の先端部３２Ｂは、基部３１の基端部３１Ａの外周を覆っており、第１接合部３２の基端部３２Ａは、基部３１の基端部３１Ａよりも基端側に位置している。第２接合部３３は、基部３１の基端側であって、第１接合部３２の基端部３２Ａの内側に位置している。基部３１の基端部３１Ａ、第１接合部３２、および第２接合部３３が先端チップ３０の接合部に相当する。
【００４０】
当該接合部において、径方向内側から外側に向かって、第２中空シャフト４０の先端部４１、コアワイヤ５０の先端部５１、メッシュ部材２０の先端部２３の順に互いに接触して重ねて配置されている。そして、先端チップ３０の接合部によって、メッシュ部材２０の先端部２３と、コアワイヤ５０の先端部５１と、第２中空シャフト４０とが互いに接合されている。基部３１の基端部３１Ａの内周の一部および第２接合部３３の内周と、第２中空シャフト４０の一部とは溶着している。このように、先端チップ３０の接合部によって、メッシュ部材２０の先端部２３と、コアワイヤ５０の先端部５１と、第２中空シャフト４０とは、一体化されている。
【００４１】
コアワイヤ５０の先端部５１には、複数の凹部５２が形成されている。各凹部５２に第２中空シャフト４０の一部が入り込んでいる。すなわち、第２中空シャフト４０は、各凹部５２に入り込む凸部を有している。第２中空シャフト４０の長軸方向において、メッシュ部材２０の先端の位置とコアワイヤ５０の先端の位置とが互いにずれている。本実施形態では、コアワイヤ５０の先端は、メッシュ部材２０の先端よりも、先端側に位置している。
【００４２】
次に、上述したカテーテル１の使用態様の一例について説明する。
【００４３】
まず順行性ガイドワイヤＷ１（不図示）を例えば血管内に挿入した後、血管に沿って閉塞物が存在する部位（以下、「閉塞部位」ともいう）まで押し進める。順行性ガイドワイヤＷ１の先端が閉塞部位に到達した後、順行性ガイドワイヤＷ１をガイドとしてバルーンカテーテル（不図示）を閉塞部位まで挿入し、バルーンを拡径させることによって閉塞部位を押し広げる。閉塞部位を押し広げた後、バルーンを縮径させてバルーンカテーテルを血管内から抜去する。
【００４４】
次に、順行性ガイドワイヤＷ１の基端が先端チップ３０の開口部から、先端チップ３０および第２中空シャフト４０の通孔、メッシュ部材２０の内側の空間、並びに先端側シャフト１１のルーメン１３を通ってガイドワイヤポート１５を経てカテーテル１の外部に出るように、順行性ガイドワイヤＷ１をカテーテル１に挿通する。順行性ガイドワイヤＷ１をガイドとしてカテーテル１の先端を血管内にてバルーンカテーテルで押し広げられた閉塞部位まで押し進める。この際、カテーテル１は、メッシュ部材２０が縮径した状態で血管に挿入され、カテーテル１の先端が閉塞部位に到達するまで上記縮径した状態を維持する。
【００４５】
カテーテル１の先端が閉塞部位に到達した後、順行性ガイドワイヤＷ１を基端側に引っ張ることで順行性ガイドワイヤＷ１をカテーテル１から引き抜く。次いで、コネクタ７０の外部に露出しているコアワイヤ５０を基端側に向かって引っ張ることでメッシュ部材２０の先端と第１中空シャフト１０の先端との間隔が狭まり、結果としてメッシュ部材２０が径方向外側に面外変形して拡径する。この際、本実施形態では、誘導膜２２の先端がメッシュ部材２０の長軸方向略中央部に接合されているので、メッシュ部材２０の拡径に追従して誘導膜２２が拡径され、誘導膜２２が全体として漏斗形状になる。なお、メッシュ部材２０の拡径に伴って目開きも拡張されるので、逆行性ガイドワイヤＷ２を受け入れやすい状態となる。また、第２中空シャフト４０は、その基端がマーカ６０によりコアワイヤ５０に拘束されているので、第２中空シャフト４０が傾倒せず、カテーテル１の長軸方向（長手方向）に沿って移動する。尚、カテーテル１の先端が、順行性ガイドワイヤＷ１に沿って閉塞部位まで到達した後、メッシュ部材２０を拡径させ、その後に順行性ガイドワイヤＷ１を基端側に引っ張ることで順行性ガイドワイヤＷ１をカテーテル１から引き抜くこととしてもよい。
【００４６】
次に、図２に示すように、先端側から向かって来る逆行性ガイドワイヤＷ２をカテーテル１に受け入れる。上記逆行性ガイドワイヤＷ２が向かってくる経路としては、例えば、閉塞部位を囲繞する血管壁内の偽腔、閉塞部位を貫通する貫通孔等が想定されるが、いずれの経路からの逆行性ガイドワイヤＷ２であってもよい。逆行性ガイドワイヤＷ２は、拡径したメッシュ部材２０の目開きを通してメッシュ部材２０の内側の空間に受け入れられた後、第１中空シャフト１０の先端側シャフト１１に挿通され、ガイドワイヤポート１５を介してカテーテル１の外部に送出される。
【００４７】
上記のカテーテル１のように、先端チップ３０の接合部によって、メッシュ部材２０の先端部２３と、コアワイヤ５０の先端部５１と、第２中空シャフト４０とが互いに接合されている。このように、接合部により、メッシュ部材２０の先端部２３と、コアワイヤ５０の先端部５１と、第２中空シャフト４０とがまとめて接合されているので、コアワイヤ５０を術者が引いて操作する際に、その引張力を、メッシュ部材２０、コアワイヤ５０、および第２中空シャフトの３つの部材により受けることとなる。このため、接合部によるメッシュ部材２０、コアワイヤ５０、および第２中空シャフト４０の接合部分の破損を抑制することができる。
【００４８】
接合部において、径方向内側から外側に向かって、第２中空シャフト４０の先端部４１、コアワイヤ５０の先端部５１、メッシュ部材２０の先端部２３の順に重ねて配置されている。このように、コアワイヤ５０が、第２中空シャフト４０とメッシュ部材２０との間に位置するので、コアワイヤ５０への引張力を第２中空シャフト４０とメッシュ部材２０とに、等しく分散させることができる。これにより、接合部によるメッシュ部材２０、コアワイヤ５０、および第２中空シャフト４０の接合部分の破損をより抑制することができる。
【００４９】
コアワイヤ５０の先端部５１には、第２中空シャフト４０の一部が入り込む凹部５２が形成されている。アンカー効果により、コアワイヤ５０と第２中空シャフト４０との接合強度を向上させることができる。このため、コアワイヤ５０への引張力により、接合部によるメッシュ部材２０、コアワイヤ５０、および第２中空シャフト４０の接合部分が破損するのを抑制することができる。
【００５０】
第２中空シャフト４０の長軸方向において、メッシュ部材２０の先端の位置とコアワイヤ５０の先端の位置とが互いにずれている。本実施形態では、コアワイヤ５０の先端は、メッシュ部材２０の先端よりも、先端側に位置している。当該構成であれば、カテーテル１の製造を容易になる。
【００５１】
なお、本開示は、上述した実施形態の構成に限定されるものではなく、特許請求の範囲によって示され、特許請求の範囲と均等の意味および範囲内での全ての変更が含まれることが意図される。例えば、上述した実施形態の構成のうちの一部を削除したり、他の構成に置換してもよく、上述した実施形態の構成に他の構成を追加等してもよい。
【００５２】
例えば、コアワイヤ５０の先端部５１には、複数の凹部５２を形成したが、少なくとも１つ以上の凹部５２であってもよいし、図４に示すように、凹部５２に代えて貫通孔５３であってもよい。コアワイヤ５０の先端は、メッシュ部材２０の先端よりも、先端側に位置していたが、コアワイヤ５０の先端とメッシュ部材２０の先端とは長軸方向において略同じ位置であってもよいし、コアワイヤ５０の先端がメッシュ部材２０の先端よりも、基端側に位置してもよい。
【符号の説明】
【００５３】
１：カテーテル
１０：第１中空シャフト
２０：メッシュ部材
２３：先端部
３０：先端チップ
３１：基部
３１Ａ：基端部
３２：第１接合部
３３：第２接合部
４０：第２中空シャフト
４１：先端部
５０：コアワイヤ
５１：先端部
５２：凹部
５３：貫通孔
【図１】
2020199115.tif 000003
【図２】
2020199115.tif 000004
【図３】
2020199115.tif 000005
【図４】
2020199115.tif 000006